(57)【要約】      （修正有）【課題】蓄電体を保護して取扱いを容易化すると共に、パッケージの小型・軽量化や耐振性の向上を図る事のできる蓄電体及びそのパッケージ構造を提供する。【解決手段】電極端子４，５の付け根をアダプタ１０で固定した蓄電体セルを、互いに結合される２つの枠体２１内に収納し、枠体２１によってアダプタ１０を押圧・挟持し、アダプタ１０を支点として蓄電部２を枠体２１に対してフローティングさせる。これにより、蓄電体セルの取扱いを容易化して枠体２１への位置合わせを容易とし、組付け作業性を向上することができる。また、枠体２１に外力が加わった場合にも、蓄電体セル１に応力が直接加わることがなく、蓄電体セル１を効果的に保護することができ、蓄電体セル及び枠体を積層したパッケージの小型・軽量化や耐振性の向上を図ることができる。【選択図】図８
2006278263.tif 000002
【特許請求の範囲】
【請求項１】
蓄電部を封止する封止部から上記蓄電部に連結される電極端子を外部に突出した平面状の蓄電体であって、
上記封止部と上記封止部から露呈する上記電極端子との境界部分に、この境界部分を固定するアダプタを介装したことを特徴とする蓄電体。
【請求項２】
上記アダプタを、上記境界部分を挟持して固定する２つの部材で構成したことを特徴とする請求項１記載の蓄電体。
【請求項３】
上記アダプタを１つの部材で形成し、該部材に上記電極端子を挿通して上記封止部を所定位置まで挿入可能な上記電極端子を挿通可能なスリットを設けたことを特徴とする請求項１記載の蓄電体。
【請求項４】
上記アダプタに、上記電極端子に導通するコネクタ接点を設けたことを特徴とする請求項１〜３の何れか一に記載の蓄電体。
【請求項５】
上記アダプタに、上記電極端子の温度を検出する温度センサを組込んだことを特徴とする請求項１〜３の何れか一に記載の蓄電体。
【請求項６】
上記蓄電体を複数個直列に接続したとき、互いに隣接する上記アダプタの間に、上記電極端子を固定するスペーサを介装したことを特徴とする請求項１〜５の何れか一に記載の蓄電体。
【請求項７】
請求項１〜６の何れか一に記載の蓄電体を収納して保持する枠体を備え、
上記アダプタを上記枠体で固定し、上記蓄電部を上記枠体からフローティングさせて保持することを特徴とする蓄電体のパッケージ構造。
【請求項８】
上記枠体を、上記アダプタを一面側から押圧するための第１の枠体と、上記第１の枠体に対向して上記アダプタを他面側から押圧するための第２の枠体とによって構成したことを特徴とする請求項７記載の蓄電体のパッケージ構造。
【請求項９】
上記アダプタを上記第１の枠体と上記第２の枠体とに嵌合させ、上記第１の枠体と上記第２の枠体とを結合することを特徴とする請求項８記載の蓄電体のパッケージ構造。
【請求項１０】
上記アダプタを、弾性体で形成したことを特徴とする請求項７〜９の何れか一に記載の蓄電体のパッケージ構造。
【請求項１１】
上記蓄電体と上記枠体との間に、発泡体を充填したことを特徴とする請求項７〜１０の何れか一に記載の蓄電体のパッケージ構造。
【請求項１２】
上記封止部の上記電極端子が存在しない側の側面を丸或は鋭角状に折曲げ、上記発泡体で三次元的に固定したことを特徴とする請求項１１記載の蓄電体のパッケージ構造。
【請求項１３】
上記蓄電体と上記枠体との間に上記発泡体を配さない部分を設けたことを特徴とする請求項１１又は１２記載の蓄電体のパッケージ構造。
【請求項１４】
上記発泡体を配さない部分を、流体を流す流体通路として用いることを特徴とする請求項１３記載の蓄電体のパッケージ構造。
【請求項１５】
上記発泡体を配さない部分を、上記封止部の一部に設けたことを特徴とする請求項１３記載の蓄電体のパッケージ構造。
【請求項１６】
上記蓄電体及び上記アダプタを収納した上記枠体を積層し、上記蓄電体を直列接続した最大電圧が感電に対して安全を確保可能な電圧となる接続数を単位とする蓄電体モジュールを構成し、この蓄電体モジュールの両端に出力コネクタを設けたことを特徴とする請求項７〜１５の何れか一に記載の蓄電体のパッケージ構造。
【請求項１７】
上記蓄電体モジュールを複数連結して外ケースにより保持し、この外ケースを弾性体を介して車体に設置する車載パッケージを構成することを特徴とする請求項１６記載の蓄電体のパッケージ構造。
【発明の詳細な説明】
【技術分野】
【０００１】
本発明は、蓄電部を封止する封止部から電極端子を外部に突出した平面状の蓄電体及びそのパッケージ構造に関する。
【背景技術】
【０００２】
近年、リチウムイオン二次電池や電気二重層コンデンサ等の略平面矩形状をなす扁平な蓄電体が実用化され、エネルギー密度の高さ、コンパクト化等から、各種機器の電力源として有望視されている。この種の扁平な蓄電体は、内部電極及び電解質層の積層体を、例えばアルミニウム系の金属層の表面を樹脂層によって絶縁コーティングしたシート状のラミネートフィルムによって密閉・封止したものであり、電圧仕様や容量仕様等に応じて所定セル数を接続して枠体に収納し、パッケージ化した組電池として用いることが多い。
【０００３】
しかしながら、ラミネート型蓄電体は、上述のようにラミネートフィルムで蓄電部を封止するだけの構成であることから、剛性に乏しく、物理的ストレスが加わった際に応力が一箇所に集中し易い。このため、パッケージ化する工程や、組電池として使用中に何らかの力が加わると、蓄電部（内部）が部分的に変形して不具合を発生する虞があった。
【０００４】
さらに、ラミネート型蓄電体は、構造上、外形寸法がバラツキ易く、精度が期待できないため、枠体への位置固定がし難く、また、蓄電体と枠体を交互に積層してパッケージ化する場合には、蓄電体の厚さバラツキが積算され、パッケージの寸法が大きくバラついてしまう。
【０００５】
例えば、図２３に示すように、蓄電部１０１をラミネートフィルム等の封止部１０２で封止した蓄電体セル１００を複数個直列接続してモジュールを構成する場合、蓄電体セル１００の扱い方によっては、封止部１０２から外部に露呈する電極端子１０３，１０４が封止部１０２との境界部から折れ曲り、電極端子が折損したり、封止部１０２が開口して封止性能が低下する虞がある。
【０００６】
また、図２４，図２５に示すように、蓄電体セル１００を２つの枠体１０５を嵌合して収納する場合、蓄電部１０１の厚みのバラツキによっては、枠体１０５で蓄電部１０１を押圧する可能性があり、また、逆に、封止部１０２を枠体１０５で押圧する場合もある。従って、図２６に示すように、枠体１０５を積層に対応した枠体１０６として蓄電体セル１００と枠体１０６とを交互に積層して蓄電体モジュール１１０を構成した場合、蓄電部１０１の厚さバラツキが積算され、モジュールとしての高さ寸法Ｓのバラツキが大きくなる。
【０００７】
また、蓄電体セル１００の蓄電部１０１から封止部１０２にかけてのテーパ面の寸法精度を期待できないことから、枠体１０６に対する蓄電体セル１００の位置合せが難しく、図２７に示すように、各層毎に蓄電部１０１の位置がずれてしまい、モジュールに外力が加わった場合、蓄電体セル１００に直接応力が加わり易いばかりでなく、封止部１０２と電極端子１０３，１０４との境界部に応力が集中してしまう。
【０００８】
これに対処するに、特許文献１には、電極端子リードを挟む熱融着部（封止部）を、上下に設けた挟掴部材で固定することにより、熱融着部（封止部）のシール性を確保する技術が開示されており、また、特許文献２や特許文献３には、電池（蓄電体）とケースとの間に樹脂等の充填剤を配することにより、耐振動性を確保する技術が開示されている。
【特許文献１】特開２００４−６３２７８号公報
【特許文献２】特開２００３−２７２５８８号公報
【特許文献３】特開２００４−７１２８１号公報
【発明の開示】
【発明が解決しようとする課題】
【０００９】
しかしながら、特許文献１に開示の技術では、封止部のシール性を確保することはできるものの、封止部と電極端子との境界部である付け根部分に応力が加わること自体を防止することはできず、電極端子の付け根部分への応力集中による折損等に対処することは困難である。
【００１０】
特許文献２や特許文献３に開示の技術は、ケース内で蓄電体セルを固定することはできるが、ケースへの組付け性や組付け後の寸法バラツキといった問題には対処していない。また、樹脂の充填によってモジュール（パッケージ）の重量が増加するばかりでなく、低温下で蓄電体セルを保熱したい場合、蓄電体セルの熱が樹脂を通して外部に逃げるため不利である。更に、弾性を有する樹脂を充填しても、蓄電体セルとの接触面積が広いため樹脂が変形するには大きな応力が必要となり、振動吸収効果には限界がある。
【００１１】
本発明は上記事情に鑑みてなされたもので、蓄電体を保護して取扱いを容易化すると共に、パッケージの小型・軽量化や耐振性の向上を図ることのできる蓄電体及びそのパッケージ構造を提供することを目的としている。
【課題を解決するための手段】
【００１２】
上記目的を達成するため、本発明による蓄電体は、蓄電部を封止する封止部から上記蓄電部に連結される電極端子を外部に突出した平面状の蓄電体であって、上記封止部と上記封止部から露呈する上記電極端子との境界部分に、この境界部分を固定するアダプタを介装したことを特徴とする。
【００１３】
アダプタは、封止部と電極端子との境界部分を挟持して固定する２つの部材、或は電極端子を挿通して封止部を所定位置まで挿入可能なスリットを設けた１つの部材で形成することができる。また、アダプタには、電極端子に導通するコネクタ接点を設けることが可能であり、電極端子の温度を検出する温度センサを組込むことも可能である。蓄電体を複数個直列に接続したときには、互いに隣接するアダプタの間に、電極端子を固定するスペーサを介装することが望ましい。
【００１４】
本発明による蓄電体のパッケージ構造は、上記した蓄電体を収納して保持する枠体を備え、アダプタを枠体で固定し、蓄電部を枠体からフローティングさせて保持することを特徴とする。
【００１５】
枠体は、アダプタを一面側から押圧するための第１の枠体と、第１の枠体に対向してアダプタを他面側から押圧するための第２の枠体とによって構成することができ、アダプタを第１の枠体と第２の枠体とに嵌合させることで、第１の枠体と第２の枠体とを結合することができる。また、アダプタを弾性体で形成することにより、外力を吸収することができる。
【００１６】
更に、蓄電体と枠体との間には、発泡体を充填しても良い。この発泡体を充填する場合には、封止部の電極端子が存在しない側の側面を丸或は鋭角状に折曲げて発泡体で三次元的に固定することにより、蓄電体の固定強度を向上することができる。
【００１７】
また、蓄電体と枠体との間に発泡体を配さない部分を設けたことが望ましく、この発泡体を配さない部分を、流体を流す流体通路として用いることができる。更に、発泡体を配さない部分を封止部の一部に設けることで、蓄電体内部にガスが発生して膨張したときのガス抜き等に利用することが可能となる。
【００１８】
また、蓄電体及びアダプタを収納した枠体を積層して蓄電体モジュールを構成する場合には、蓄電体を直列接続した最大電圧が感電に対して安全を確保可能な電圧となる接続数をモジュール単位として出力コネクタを設けることが望ましい。この蓄電体モジュールを複数連結して車両に設置する場合には、複数の蓄電体モジュールを外ケースで保持して弾性体を介して設置することが望ましい。
【発明の効果】
【００１９】
本発明は、蓄電体を保護して取扱いを容易化することができると共に、パッケージの小型・軽量化や耐振性の向上を図ることができる。
【発明を実施するための最良の形態】
【００２０】
以下、図面を参照して本発明の実施の形態を説明する。図１〜図２２は本発明の実施の一形態に係わり、図１は直列接続された蓄電体セルの斜視図、図２は蓄電体セルの電極端子の状態を示す説明図、図３はコネクタとして利用したアダプタの説明図、図４はコネクタ接点を示す拡大図、図５は一体型のアダプタを示す説明図、図６は隣接するアダプタ間にスペーサを介装した例を示す説明図、図７はアダプタ及びスペーサの間隔と電極の曲げ位置とを示す説明図、図８は蓄電体セルの枠体への収納を示す説明図、図９は蓄電体セルを枠体に収納した状態の断面図、図１０は蓄電体セル及び枠体を積層した蓄電体モジュールの説明図、図１１は枠体の小型化を示す説明図、図１２は蓄電体モジュールに対する外力の影響を示す説明図、図１３は蓄電体セルに装着するアダプタの変形例を示す説明図、図１４は図１３のアダプタに対応する枠体を用いた蓄電体モジュールを示す説明図、図１５はアダプタと枠体との嵌合性を向上した変形例を示す説明図、図１６は蓄電体セルと枠体との間に発泡体を充填した例を示す断面図、図１７は蓄電体セルの電極端子が存在しない側に充填した発泡体を示す断面図、図１８は封止部と発泡体との三次元的な固定状態を示す説明図、図１９は発泡体に流体通路を設けた例を示す説明図、図２０はモジュール単位でのコネクタの配置を示す説明図、図２１は蓄電体パッケージを示す説明図、図２２は蓄電体パッケージの車両への設置例を示す説明図である。
【００２１】
図１において、符号１は蓄電体セルであり、この蓄電体セル１を複数個接続してモジュール化し、更に複数の蓄電体モジュールを集合して蓄電体パッケージを構築することにより、例えば電気自動車（ＥＶ）やハイブリッド自動車（ＨＥＶ）等の電源装置として用いることができる。蓄電体セル１は、リチウムイオン二次電池や電気二重層キャパシタ等の略平面矩形状をなす扁平な蓄電体であり、平面ラミネート型リチウムイオン二次電池に代表されるように、内部電極及び電解質層の積層体を、例えばアルミニウム系の金属層の表面を樹脂層によって絶縁コーティングしたシート状のラミネートフィルムによって密閉・封止したものである。
【００２２】
蓄電体セル１の構成としては、電解質層及び電極の積層体からなる蓄電要素を包込んで周囲よりも若干肉厚の矩形状に形成された蓄電部２と、蓄電部２の周囲にシート状に延設される封止部３と、封止部３の両端から露呈される２つの金属製の正，負の電極端子４，５とが備えられている。
【００２３】
更に、蓄電体セル１には、モジュール化（パッケージ化）する上での基本保持構造として、封止部３と各電極端子４，５との境界部である付け根部分に、略角柱状の細長のアダプタ１０が装着されている。図１においては、電極端子４，５の付け根にそれぞれアダプタ１０を装着した蓄電体セル１を２個直列に接続した例を示している。アダプタ１０は、電極端子４，５の付け根部分を固定して応力が加わることを防止するものである。
【００２４】
すなわち、蓄電体セル１は、電極端子４，５よりも封止部３の剛性が高いため、図２（ａ）に示すように、蓄電体セル１にアダプタ１０を装着しない場合には、電極端子４，５の付け根部分（図中、丸印で囲む部分）に応力が集中し易く、電極端子４，５の付け根部分が外力によって折れ曲ったとき、封止部３が引張られて蓄電部２に対する封止能力が損われる虞がある。
【００２５】
従って、図２（ｂ）に示すように、アダプタ１０によって電極端子４，５の付け根部分を固定することにより、本来、電極端子４，５の付け根部分に加わる応力を、電極端子４，５とアダプタ１０との境界に移動させ、封止部３の境界部を保護して封止能力を確保することができる。これにより、蓄電体セル１の取扱いが容易となり、アダプタ１０を装着した蓄電体セル１を基本構成として、各種パッケージ構造（モジュール構造）に柔軟に適用することができる。
【００２６】
ここで、図１に示すアダプタ１０は、アッパアダプタ１１とロワーアダプタ１２との上下分割構造を有しており、ロワーアダプタ１２に立設されたピン状のボス１２ａを介してアッパアダプタ１１とロワーアダプタ１２とを嵌合・固定することにより、電極端子４，５の付け根部分を挟持する。これにより、アッパアダプタ１１とロワーアダプタ１２とを一体化して剛体化することができ、電極端子４，５に対する強力な折れ曲り防止効果を期待することができる。
【００２７】
尚、アッパアダプタ１１とロワーアダプタ１２とは、ボス１２ａを介した嵌合の他、爪嵌合や圧入、ねじやリベット等による締結、樹脂の溶接等によって固定するようにしても良い。何れの場合においても、アダプタ１０と蓄電体セル１との間には、接着テープや接着剤等を配して、アダプタ１０と蓄電体セル１との密着性を高めることが望ましい。
【００２８】
アダプタ１０は、電気絶縁性に優れた材料、例えば、ゴムやベークライト等の樹脂によって形成することができ、電極の絶縁カバー機能を付加して安全性を向上することができる。この場合、アダプタ１０内部に、コネクタ構造を形成することも可能であり、例えば、図３，図４に示すように、ロワーアダプタ１２にコネクタ接点１３を組込み、このコネクタ接点１３に配線１４を接続して外部に引出すことにより、セル電圧のセンシングが可能になり、電圧制御等に利用することができる。更に、アダプタ１０内部に熱電対やサーミスタ等の温度センサを組込むことも可能であり、電極端子４，５の温度を測定することで、間接的にセル温度を検出することができる。
【００２９】
一方、アダプタ１０の材質を、金属材料、例えば、銅、鉄、ステンレス、アルミニウム、チタン、マグネシウム、その他の合金によって形成することも可能である。アダプタ１０を金属材料で形成した場合には、電極からの熱を吸収して外部に放出することができ、蓄電体セル１の出力特性を安定化することが可能となる。更に、アダプタ１０を、磁性体、例えば、フェライト、鉄、ニッケル、コバルト、または、これらを含んだ合金によって形成しても良く、電極から放出される電磁ノイスを吸収すると共に、外部から電極にノイズが入ることを防止することができる。
【００３０】
また、アダプタ１０は、上下分割構造に限定されることなく、種々の変形が可能である。例えば、図５に示すように、一体成形構造のアダプタ１０Ａとしても良い。アダプタ１０Ａは、略角柱状の長手側の一側面に、蓄電体セル１の封止部３を差し込み可能な所定深さのスリットを設けると共に、このスリットから反対側の側面にかけて電極端子４，５を挿通可能なスリットを設けて構成されており、蓄電体セル１の各電極端子４，５の先端側から差し込むことにより、電極端子４，５の付け根部分を覆うことができる。この一体成形構造のアダプタ１０Ａは、上下分割構造のアダプタ１０に比較して部品点数が少なく、生産性及びコスト低減を期待することができる。
【００３１】
尚、この場合、蓄電体セル１の封止部３の厚み及び電極端子４，５の厚みのバラツキ如何によっては、アダプタ１０Ａとの間の隙間が大きくなり、封止部３及び電極端子４，５とアダプタ１０Ａとの密着性が低下する虞があることから、接着剤等を併用することが望ましい。
【００３２】
以上の蓄電体セル１を複数個接続して積層する場合には、図６に示すように、隣接するアダプタ１０の間に、２枚の板状部材１５ａ，１５ｂからなるスペーサ１５を装着するようにしても良い。スペーサ１５は、互いに接続された蓄電体セル１の電極部分を２枚の板状部材１５ａ，１５ｂで上下に挟持するものであり、図７に示すように、アダプタ１０の幅ａとスペーサ１５を配置するアダプタ１０の間隔ｂとの比率を可変することにより、剛性差を作り出して曲げたい位置の剛性を下げる。これにより、蓄電体セル１を葛折り状に配列して積層する場合等に、電極部分を所望の位置で曲げることができ、パッケージ（モジュール）の生産性を向上することができる。
【００３３】
次に、以上の蓄電体セル１の保持構造を基本とする蓄電体モジュール及びパッケージについて説明する。尚、以下では、便宜上、アダプタ１０による保持構造を基本として説明するが、上述したように、アダプタ１０は種々変形可能である。
【００３４】
複数の蓄電体セル１をモジュール化するには、図８に示すように、アダプタ１０を装着した個々の蓄電体セル１を、４隅に配設したピン２０を介した嵌合構造によって結合される２つの略矩形状の枠体２１内に収納する。各枠体２１には、蓄電体セル１の蓄電部２を収納する略矩形状の有底部２３がそれぞれ設けられ、各有底部２３の両側に、アダプタ１０を収納して保持するための溝状の溝部２４が設けられている。
【００３５】
各枠体２１の有底部２３の深さ及び溝部２４の深さは、図９に示すように、２つの有底部２３によって形成される空間に蓄電体セル１の蓄電部２を収納すると共に、２つの溝部２４によって形成される空間にアダプタ１０を収納し、枠体２１をピン２０を介して嵌合したとき、枠体２１によってアダプタ１０が押圧・挟持され、アダプタ１０を支点として、蓄電部２が各枠体２１に対して若干の隙間をもってフローティングするように設定されている。
【００３６】
すなわち、枠体２１は、蓄電体セル１を直接保持することなく、アダプタ１０を介して間接的に保持するようにしている。これにより、蓄電体セル１の枠体２１への位置合わせが容易となって組付け作業性を向上することができるばかりでなく、枠体２１に外力が加わった場合にも、蓄電体セル１に応力が直接加わることがなく、蓄電体セル１を効果的に保護することができる。
【００３７】
この蓄電体セル１のフローティング構造は、図１０に示すように、枠体２１と、有底部２３及び溝部２４を両面に形成した枠体２１Ａとを積層して構成される蓄電体モジュール２５に適用される。蓄電体モジュール２５は、その高さ寸法Ｓが各蓄電体セル１の厚みによって影響されないため、安定した寸法を得ることができ、設置上の不都合を回避することができる。
【００３８】
この場合、図１１に示すように、モジュールを構成する枠体同士の結合にピン２０を用いることなく、アダプタ１０を嵌合ボスとして利用することが可能である。これにより、従来の枠体１０５に比較して、蓄電体セル１の電極端子４，５の各方向に枠体２１（２１Ａ）をＬ寸法だけ短縮することができ、モジュールを小型化して搭載性を向上することができる。
【００３９】
また、アダプタ１０を弾性体で形成することにより、図１２に示すように、蓄電体モジュール２５に外力が加わった場合、弾性体からなるアダプタ１０が変形し、外力を吸収することができる。これにより、枠体の軽量化が可能となる。
【００４０】
更に、図１３〜図１５に示すように、アダプタ１０の形状を若干変更することで、モジュールの組立作業性を向上することができる。図１３は、アダプタ１０を若干変更し、電極端子４，５が延出されるコーナ稜線部のエッジをフィレット処理し、所望の丸めＲ（面取りでも良い）を形成したアダプタ１０Ｂとしたものであり、このアダプタ１０Ｂに対応して、蓄電体モジュール２５を構成する枠体２１と枠体２１Ａとの組合せは、図１４に示すように、溝部２４の位置を端部に移動して溝壁の一方を開放した枠体２１Ｂと枠体２１Ｃとの組合わせに変更する。
【００４１】
これにより、モジュールを構成する各蓄電体セル１の電極端子を所望の形状で折曲げることが容易となり、複数の蓄電体セル１間の電極の接続作業を迅速且つ正確に行うことが可能となる。
【００４２】
また、図１５は、アダプタ１０の角柱形状におけるコーナ稜線部のエッジを処理して面取り（或は丸めＲでも良い）を施したアダプタ１０Ｃとしたものである。このアダプタ１０Ｃに対応して、枠体２１（２１Ａ）側は、溝部２４の側壁をアダプタ１０Ｃに合わせてテーパ状（或は側壁入口をＲ状）とした枠体２１Ｄとする。これにより、アダプタ１０Ｃの位置が溝部２４に対して多少ずれていても、面取り或はＲによって溝内に誘導され、アダプタと枠体との嵌合性を向上することができる。
【００４３】
更に、蓄電体セル１と枠体２１（２１Ａ〜２１Ｄ）との間には、図１６に示す電極端子４，５側から図１７に示す封止部３の電極端子の存在しない側までの全面に渡って、多数の空気泡を含む発泡体２６を配することが望ましい。この発泡体２６を用いることにより、外形がイビツとなりがちな蓄電体セル１を広い面積で保持することができ、耐振性の高いモジュールを形成することができる。
【００４４】
しかも、発泡体２６は、通常の液状の充填剤に比較して圧倒的に比重が軽いため、モジュールの重量増加を抑制しつつ耐振性の向上を図ることができる。また、発泡体２６は、通常の充填材よりも剛性が低いことから、蓄電体セルや枠体が熱膨張した際、その変位を吸収することができ、モジュールに外的応力が加わった際にも、発泡体２６が変形することでセルを保護することができる。
【００４５】
また、一般に、蓄電体セルは、低温時（例えば、０°Ｃ以下）に一時的に性能が劣化し、高温時（例えば、５０°Ｃ以上）に永久的に性能が劣化する虞がある。 発泡体２６は多くの空気泡を含むことから良質な断熱材となり、蓄電体セル１に対する断熱効果を持たせることができ、低温環境下や発熱体近傍の環境下において有効である。
【００４６】
発泡体２６としては、発泡ウレタン樹脂、発泡エポキシ樹脂、発泡ゴム等を用いることができる。発泡ウレタン樹脂や発泡エポキシ樹脂を用いる場合には、成形のための型が不要であり、モジュール組立後に充填が可能である。この樹脂の充填の際には、樹脂が広がりながら硬化するので、広い面積を均一に保持することができる。また、発泡ゴムを用いる場合には、発泡ゴムが有する大きな弾性により、耐振性能の向上を期待することができる。
【００４７】
また、発泡体２６を充填することにより、図１８に示すように、蓄電体セル１の蓄電部２周囲の封止部３に対し、電極方向と直交する側面を丸或は鋭角状に折曲げて固定することが可能となる。これにより、枠体の幅方向（電極の延出方向と直交する方向）の寸法を寸法ｍだけ小さくして小型化を図ることができると共に、発泡体２６と封止部３とが三次元的に固定されることになり、蓄電体セル１全体の固定強度を向上することができる。
【００４８】
また、発泡体２６を充填する場合には、蓄電体セル１の封止部３の一部に発泡体２６を配さない部分を設けることが望ましい。すなわち、封止部３の一部に発泡体２６を配さないことで封止部３の一部を相対的に弱くし、この弱い部分を、セル内部にガスが発生して膨張したときのガス抜き弁として機能させることができる。
【００４９】
更に、図１９に示すように、蓄電体セル１（特に、蓄電部２）に対して発泡体２６を配さない部分を設け、この部分を空気や水等の流体を流す流体通路２７として用いることにより、温度コントロールを行うようにしても良い。これにより、低温時にはセルの断熱効果（保熱効果）が得られる一方、高温時には流体による冷却を行うことができ、蓄電体セル１の特性を安定化することができる。
【００５０】
以上の蓄電体モジュール２５は、人が感電しない、或は感電しても危険性の低い電圧単位を１モジュールとすることにより、安全性と生産性とを両立させる。例えば、蓄電体セル１の直列接続の接続数が最大電圧が５０Ｖ以下となる接続数を１モジュールとして、この１モジュール毎に出力コネクタを両端に設ける。この出力コネクタは、例えば、図２０に示すように、一方を枠体２１の端部から突出する雄コネクタ２８、他方を枠体２１の端部に埋込んだ雌コネクタ２９とする。
【００５１】
そして、図２１に示すように、コネクタ２８，２９を設けた蓄電体モジュール２５を２個以上連結させ、それらを外ケース３０で保持して蓄電体パッケージ３５を構成することにより、安全な作業で所望の電圧及び容量のパッケージを得ることができる。この蓄電体パッケージ３５を車両に設置する場合には、図２２に示すように、車体５０との間に弾性体５１を介在させることにより、軽量で耐振性の高い車載パッケージを実現することができる。
【００５２】
以上のように、本実施の形態においては、蓄電体セル１の封止部３と電極端子４，５との境界部分をアダプタ１０（１０Ａ〜１０Ｃ）で固定することにより、応力集中により電極端子４，５の折損や封止部３の開口による封止性能の低下を防止することができ、セルの扱いを容易としてパッケージ化（モジュール化）する上での生産性を向上させることができる。また、このアダプタによる蓄電体セルの基本保持構造を応用することで、小型軽量化や耐振性の向上を図ることができると共に、電圧制御や温度制御等の機能を付加することができ、車両等への搭載に適した蓄電体パッケージ（蓄電体モジュール）を構築することができる。
【図面の簡単な説明】
【００５３】
【図１】直列接続された蓄電体セルの斜視図
【図２】蓄電体セルの電極端子の状態を示す説明図
【図３】コネクタとして利用したアダプタの説明図
【図４】コネクタ接点を示す拡大図
【図５】一体型のアダプタを示す説明図
【図６】隣接するアダプタ間にスペーサを介装した例を示す説明図
【図７】アダプタ及びスペーサの間隔と電極の曲げ位置とを示す説明図
【図８】蓄電体セルの枠体への収納を示す説明図
【図９】蓄電体セルを枠体に収納した状態の断面図
【図１０】蓄電体セル及び枠体を積層した蓄電体モジュールの説明図
【図１１】枠体の小型化を示す説明図
【図１２】蓄電体モジュールに対する外力の影響を示す説明図
【図１３】蓄電体セルに装着するアダプタの変形例を示す説明図
【図１４】図１３のアダプタに対応する枠体を用いた蓄電体モジュールを示す説明図
【図１５】アダプタと枠体との嵌合性を向上した変形例を示す説明図
【図１６】蓄電体セルと枠体との間に発泡体を充填した例を示す断面図
【図１７】蓄電体セルの電極端子が存在しない側に充填した発泡体を示す断面図
【図１８】封止部と発泡体との三次元的な固定状態を示す説明図
【図１９】発泡体に流体通路を設けた例を示す説明図
【図２０】モジュール単位でのコネクタの配置を示す説明図
【図２１】蓄電体パッケージを示す説明図
【図２２】蓄電体パッケージの車両への設置例を示す説明図
【図２３】従来例に係わり、直列接続された蓄電体セルの斜視図
【図２４】同上、蓄電体セルの枠体への収納を示す説明図
【図２５】同上、蓄電体セルを枠体に収納した状態の断面図
【図２６】同上、蓄電体セル及び枠体を積層した蓄電体モジュールの説明図
【図２７】同上、蓄電体モジュールに対する外力の影響を示す説明図
【符号の説明】
【００５４】
１  蓄電体セル
２  蓄電部
３  封止部
４，５  電極端子
１０，１０Ａ，１０Ｂ，１０Ｃ  アダプタ
１３  コネクタ接点
１５  スペーサ
２１，２１Ａ，２１Ｂ，２１Ｃ，２１Ｄ  枠体
２５  蓄電体モジュール
２６  発泡体
２７  流体通路
２８，２９  コネクタ
３０  外ケース
３５  蓄電体パッケージ
５０  車体
５１  弾性体
代理人      弁理士      伊    藤      進
【図１】
2006278263.tif 000003
【図２】
2006278263.tif 000004
【図３】
2006278263.tif 000005
【図４】
2006278263.tif 000006
【図５】
2006278263.tif 000007
【図６】
2006278263.tif 000008
【図７】
2006278263.tif 000009
【図８】
2006278263.tif 000010
【図９】
2006278263.tif 000011
【図１０】
2006278263.tif 000012
【図１１】
2006278263.tif 000013
【図１２】
2006278263.tif 000014
【図１３】
2006278263.tif 000015
【図１４】
2006278263.tif 000016
【図１５】
2006278263.tif 000017
【図１６】
2006278263.tif 000018
【図１７】
2006278263.tif 000019
【図１８】
2006278263.tif 000020
【図１９】
2006278263.tif 000021
【図２０】
2006278263.tif 000022
【図２１】
2006278263.tif 000023
【図２２】
2006278263.tif 000024
【図２３】
2006278263.tif 000025
【図２４】
2006278263.tif 000026
【図２５】
2006278263.tif 000027
【図２６】
2006278263.tif 000028
【図２７】
2006278263.tif 000029